(57)【要約】      （修正有）【課題】漆で加飾してなるガラス製品に関し、ガラス容器の表裏両側から観賞可能とすることで立体的な表現を実現し、装飾性のより高い漆加飾ガラス製品を提供する。【解決手段】琉球ガラスの表面は目に見えないピンホールや凹凸が無数に有るため、このガラス表面に、生うるしで堆錦餅シートを接着固定してなる漆加飾ガラス製品であり、生うるしがピンホールや凹凸に滲み込んで乾燥すると、堆錦餅シートが強固に接着固定されるので、サンドブラストなどの粗面化処理をしなくても、漆による加飾が可能となる。【選択図】図２
0003119332.tif 000002
【実用新案登録請求の範囲】
【請求項１】
琉球ガラスの表面に生うるしで堆錦餅シートを接着固定してなることを特徴とする漆加飾ガラス製品。
【請求項２】
前記の堆錦餅シートの上に別の堆錦餅シートを重ねて接着することで２層以上の堆錦構造としたことを特徴とする請求項１に記載の漆加飾ガラス製品。
【請求項３】
透明のガラス容器の外面に堆錦餅シートを接着固定することによって容器外面へ加飾すると共に、容器内側からも観賞可能としたことを特徴とする請求項１または請求項２に記載の漆加飾ガラス製品。
【請求項４】
透明のガラス容器の外側からも、内側からも、また二重の容器壁を透過した外側からも見えるように、ガラス容器外面に堆錦餅シートの接着で加飾してあることを特徴とする請求項１、請求項２または請求項３に記載の漆加飾ガラス製品。
【請求項５】
ガラス容器外面に堆錦餅シートの接着で加飾することによって、立体的な物体又は景観その他の裏側と表側の立体的な形態を表現してあることを特徴とする請求項１から請求項４までのいずれかの項に記載の漆加飾ガラス製品。
【請求項６】
グラスの足又は台の表面若しくは裏面に粗面化処理をした状態で漆を塗布して加飾してなることを特徴とする請求項１から請求項５までのいずれかの項に記載の漆加飾ガラス製品。
【請求項７】
前記のガラス製品が、ぼかし模様の彩色がされた琉球ガラスであることを特徴とする請求項１から請求項６までのいずれかの項に記載の漆加飾ガラス製品。
【考案の詳細な説明】
【技術分野】
【０００１】
本考案は、グラスやコップその他のガラス製品に漆で装飾を施してなる漆加飾ガラス製品に関する。
【背景技術】
【０００２】
特開2004−195764号において、透明又は半透明のガラス製品が有する清涼感のある質感と蒔絵の加飾によって、漆器の質感とを融合させ、両者の質感を併せ持つガラス製品を実現すべく、透明なガラス製の器もしくは板を生地とし、その裏面に、通常とは逆の逆工程順序の描画工程によって蒔絵の加飾を施した上、蒔絵の加飾を施した部分を保護塗膜によって被覆し、蒔絵の加飾は、ガラス製の生地側から観察したときにおいて、通常の描画工程によって描画した蒔絵の加飾として鑑賞可能とする技術が提案されている。
【０００３】
一方、特開平10−194782号においては、新規で優美な味わいを付与すると共に、漆加飾部分の剥離がないことから、一般的な食器として実用に供し得る、極めて加飾性に富んだ、漆加飾を施したガラス製品を提供すべく、ガラス器表面を不透明な摺ガラスに加工し、当該ガラス器の任意箇所に、アクリル樹脂塗料１００部に対して、Ｘは無機質を示し、Ｒは有機基を示す場合にＸ・Ｓｉ・( ＯＲ）3 より成るシランカップリング剤を 1〜 5部混合して得た塗料により所望模様を描き、次に当該所望模様を加熱ゲル化し有機顔料粉を蒔いて着色し、更に朱合漆を塗布することを特徴とする漆加飾を施したガラス製品が提案されている。
【特許文献１】特開2004−195764
【特許文献２】特開平10−194782
【考案の開示】
【考案が解決しようとする課題】
【０００４】
しかしながら、特許文献１の考案は、ガラス製品の裏側に加飾して、反対側から鑑賞可能としたものであって、裏側から見た場合の装飾性やガラス特有の透明性を犠牲にせざるをえず、新たな欠点が生じる。これに対し、特許文献２の場合は、特殊な塗料と特殊な工程が必要となるという問題がある。
【０００５】
本考案の技術的課題は、このような問題に着目し、極めて簡易な技術でガラス製品にも漆加飾を可能にすると共に、ガラス容器の表裏両側から観賞可能とすることで立体的な表現を実現し、装飾性のより高い漆加飾ガラス製品を提供し、沖縄伝統の漆工芸技術とガラス工芸技術を融合した新技術と新製品を実現することにある。
【課題を解決するための手段】
【０００６】
本考案の技術的課題は次のような手段によって解決される。請求項１は、琉球ガラスの表面に生うるしで堆錦餅シートを接着固定してなることを特徴とする漆加飾ガラス製品である。このように、琉球ガラスの表面は目に見えないピンホール又は凹凸が無数に有る粗面であるため、このガラス表面に、生うるしで堆錦餅シートを接着固定してなるガラス製品は、生うるしがピンホールや凹凸に滲み込んで乾燥すると、堆錦餅シートが強固に接着固定されるので、サンドブラストなどの粗面化処理をしなくても、漆による加飾が可能となる。
【０００７】
請求項２は、前記の堆錦餅シートの上に別の堆錦餅シートを重ねて接着することで２層以上の堆錦構造としたことを特徴とする請求項１に記載の漆加飾ガラス製品である。請求項１のような技法でガラス表面に堆錦加飾が可能となると、請求項２のように、ガラス表面の堆錦餅シートの上に別の堆錦餅シートを重ねて接着することで２層以上の堆錦構造が可能となり、ガラス面を裏側から見た表現と表側から見た表現を異にするなど、多様で豊富な、あるいは立体的な加飾や表現が可能となる。
【０００８】
請求項３は、透明のガラス容器の外面に堆錦餅シートを接着固定することによって外面へ加飾すると共に、容器内側からも観賞可能としたことを特徴とする請求項１または請求項２に記載の漆加飾ガラス製品である。このように、透明のガラス容器の外面に堆錦餅シートを接着固定することによって、外面へ加飾すると共に、透明なガラス壁を透過して、外面の堆錦加飾がガラス容器の内側からも観賞可能となる。その結果、透明のガラス容器の内外両側から漆加飾の観賞が可能となり、観賞の幅が広がる。
【０００９】
請求項４は、透明のガラス容器の外側からも、内側からも、また二重の容器壁を透過した外側からも見えるように、ガラス容器の膨らみ部外面に堆錦餅シートの接着で加飾してあることを特徴とする請求項１、請求項２または請求項３に記載の漆加飾ガラス製品である。ガラス容器の膨らみ部外面に堆錦餅シートの接着で加飾してあると、漆加飾面が内側からも観賞できるだけでなく、反対側の透明ガラス壁を通して、その外側からも漆加飾面の裏面が観賞できることになる。したがって、請求項４のように、透明のガラス容器の外側からも、内側からも、また二重の容器壁を透過した外側からも見えるような位置に、ガラス容器の膨らみ部外面に堆錦餅で加飾してあるガラス製品の場合は、合計三つの形態の観賞方法が可能となり、バラエティーに富んだ観賞方法が可能となる。
【００１０】
請求項５は、ガラス容器の膨らみ部外面に堆錦餅シートの接着で加飾することによって、立体的な物体又は景観その他の裏側と表側の立体的な形態を表現してあることを特徴とする請求項１から請求項４までのいずれかの項に記載の漆加飾ガラス製品である。このように、グラスなどのガラス容器の膨らみ部外面に堆錦餅シートの接着で加飾することによって、例えばチューリップの花のような立体的な形態を表現してあるガラス製品の場合は、該ガラス容器の外側からも内側からもチューリップの花の外側も内側も見えるため、あたかもチューリップの花が咲いているような形態を表現でき、新たな表現形態を実現できる。
【００１１】
請求項６は、グラスの足又は台の表面若しくは裏面に粗面化処理をした状態で漆を塗布して加飾してなることを特徴とする請求項１から請求項５までのいずれかの項に記載の漆加飾ガラス製品である。このように、グラスの足又は台の表面若しくは裏面にサンドブラストや化学処理などによる粗面化処理をした状態で漆を塗布して加飾してなるグラスの場合は、グラスの足又は台の表面若しくは裏面に強固な漆塗りが可能となり、容易に剥げ落ちることのない強靱な漆加飾が可能となる。
【００１２】
請求項７は、前記のガラス製品が、ぼかし模様の彩色がされた琉球ガラスであることを特徴とする請求項１から請求項６までのいずれかの項に記載の漆加飾ガラス製品である。このように、特にぼかし模様の彩色がされた琉球ガラスにおいて請求項１〜６のような加飾を行なうと、請求項１〜６のような加飾と琉球ガラス特有のぼかし模様の彩色とが融合して、より高度の加飾が実現される。しかも琉球ガラスの場合は、廃ガラスを溶かして製造することから、ガラス表面が無数のピンホールや凹凸により粗面になっていて、漆加飾が可能になるという効果を奏する。
【考案の効果】
【００１３】
請求項１のように、琉球ガラスの表面は目に見えないピンホール又は凹凸が無数に有る粗面であるため、このガラス表面に、生うるしで堆錦餅シートを接着固定してなるガラス製品は、生うるしがピンホールや凹凸に滲み込んで乾燥すると、堆錦餅シートが強固に接着固定されるので、サンドブラストなどの粗面化処理をしなくても、漆による加飾が可能となる。
【００１４】
請求項１のような技法でガラス表面に堆錦加飾が可能となると、請求項２のように、ガラス表面の堆錦餅シートの上に別の堆錦餅シートを重ねて接着することで２層以上の堆錦構造が可能となり、ガラス面を裏側から見た表現と表側から見た表現を異にするなど、多様で豊富な、あるいは立体的な加飾や表現が可能となる。
【００１５】
請求項３のように、透明のガラス容器の外面に堆錦餅シートを接着固定することによって、外面へ加飾すると共に、透明なガラス壁を透過して、外面の堆錦加飾がガラス容器の内側からも観賞可能となる。その結果、透明のガラス容器の内外両側から漆加飾の観賞が可能となり、観賞の幅が広がる。
【００１６】
ガラス容器の膨らみ部外面に堆錦餅シートの接着で加飾してあると、漆加飾面が内側からも観賞できるだけでなく、反対側の透明ガラス壁を通して、その外側からも漆加飾面の裏面が観賞できることになる。したがって、請求項４のように、透明のガラス容器の外側からも、内側からも、また二重の容器壁を透過した外側からも見えるような位置に、ガラス容器の膨らみ部外面に堆錦餅で加飾してあるガラス製品の場合は、合計三つの形態の観賞方法が可能となり、バラエティーに富んだ観賞方法が可能となる。
【００１７】
請求項５のように、グラスなどのガラス容器の膨らみ部外面に堆錦餅シートの接着で加飾することによって、例えばチューリップの花のような立体的な形態を表現してあるガラス製品の場合は、該ガラス容器の外側からも内側からもチューリップの花の外側も内側も見えるため、あたかもチューリップの花が咲いているような形態を表現でき、新たな表現形態を実現できる。
【００１８】
請求項６のように、グラスの足又は台の表面若しくは裏面にサンドブラストや化学処理などによる粗面化処理をした状態で漆を塗布して加飾してなるグラスの場合は、グラスの足又は台の表面若しくは裏面に強固な漆塗りが可能となり、容易に剥げ落ちることのない強靱な漆加飾が可能となる。
【００１９】
請求項７のように、特にぼかし模様の彩色がされた琉球ガラスにおいて請求項１〜６のような加飾を行なうと、請求項１〜６のような加飾と琉球ガラス特有のぼかし模様の彩色とが融合して、より高度の加飾が実現される。しかも琉球ガラスの場合は、廃ガラスを溶かして製造することから、ガラス表面が無数のピンホールや凹凸により粗面になっていて、漆加飾が可能になるという効果を奏する。
【考案を実施するための最良の形態】
【００２０】
次に本考案による漆塗りガラス容器が実際上どのように具体化されるか実施形態を説明する。図１は本考案による漆加飾ガラス製品を示す斜視図であり、図２はその漆加飾部を反対方向から見た斜視図である。図１は、ガラス製のグラスの容器部１の外面における膨らみ部２に漆加飾した部分３を有している。この漆加飾部３は、琉球ガラスの表面に直接に堆錦餅シートを接着することで実現できる。
【００２１】
琉球ガラスの場合は、廃ビンを溶かして製品に形成するため、ガラス表面に目に見えない無数のピンホールや凹凸が開いていることが最近判明した。このように、無数のピンホールや凹凸によって粗面になっているので、生うるしで堆錦餅シートを接着しても、通常のガラス面と違って、乾燥後に堆錦餅シートが容易に剥離することはない。しかし、接着するガラス面を予め加熱して温度を上げておくと、ピンホール内の空気が膨張して押し出されるので、堆錦餅シートを生うるしで接着状態で冷却すると、ピンホール中が負圧になって生うるし成分がピンホール中に吸引されるので、剥離がより困難になる。あるいは、生うるしをピンホール中に擦り込むような気持ちで擦り付けると、生うるし成分がピンホール中に押し込まれて、生うるしで接着後の堆錦餅シートが乾燥後に剥離困難となる。
【００２２】
あるいは、乾燥度を上げた室内に放置してピンホール中の空気を十部に乾燥状態にしてから、生うるしを塗布すると、生うるし成分がピンホール中に浸透し易くなり、ガラス本体と堆錦餅シートとの結合力が向上して、剥離困難となる。加飾の表現上許容される領域はサンドブラストなどの粗面化処理も不可能ではない。なお、堆錦餅シートとは、琉球漆工芸で周知の堆錦餅をローラや手伸ばしなどで薄いシート状に形成したものを指す。
【００２３】
図１の３の部分は、このようにして堆錦餅シートで加飾した領域である。従来技術の要領で、サンドブラスト処理してガラス表面を粗面化してから漆塗りすることもできるが、グラスの内側から観賞する上では、粗面化処理して下地漆を塗布すると、下地漆が見えるので、グラス内側からの観賞の妨げになる。前記のようにして接着した堆錦餅シート加飾部３の上に更に別の堆錦餅シートを重ねて接着することもでき、２層以上の堆錦構造も可能となる。
【００２４】
図１のようにガラス容器の外面に堆錦加飾した部分３をグラス内側から見ると、図２のような状態となる。すなわち、グラスの開口４から内部を覗くと、前記の堆錦加飾部３の裏面３ｂが、反対側（裏面側）から３ｂのように見える。外から見ると堆錦加飾面３は膨らんで見えるのに対し、内側から見た裏面３ｂは逆に引っ込んで凹曲面に見える。
【００２５】
したがって、グラス外面の膨らんだ領域にチューリップの花の外面のイメージで堆錦加飾すると、グラス内面から見た場合は、チューリップの花びらを内側から見たような表現が可能となり、現実のチューリップの花を見ているような観賞が可能となる。したがって、チューリップやコスモスなどのように花びらが膨らんだ形状の花の表現に適している。また、花びらの開き具合に応じて、グラス開口の開き具合を合わせることによって、各種の花や様々な開花状態を自由に表現できる。
【００２６】
例えばチューリップの花を外側から見た場合と、花びらを内側から見た場合とで異なる表現にしたい場合は、前記のような２以上の堆錦層にすることで実現できる。すなわち、先ず花びらを内側から見た形態をガラス容器外面に堆錦餅シートの接着で表現し、次いで花びらを外側から見た形態を堆錦餅シートの積層接着で表現すればよい。
【００２７】
図２のようにグラスの開口４からグラス内面を見た場合、同時にグラスの手前側の壁部５を透過して、堆加飾部の裏面３ｂが３ｃのように見える。すなわち、グラス内面から漆加飾部の裏面３ｂが直接に見える場合と、手前のグラス壁部５を通して、二重の容器壁を透過した外側から３ｃのように見える場合とがある。結局、このようなグラス外面から見える形態も含めると、３通りの見え方が可能となる。その結果、実物の花を見る場合よりも多種多様な見え方が可能となり、新たな表現型式の出現となる。
【００２８】
３通りの見え方を効果的に生かした実施形態として、チューリップの花などのような膨らみのある花を例示したが、立体的な形態を有し、しかも表裏両側から観賞可能な立体的な表現型式に適しておれば、花以外の物体や景観その他をガラス容器で表現してもよく、何を表現してもよい。また、琉球ガラスの場合はぼかし模様が特徴であるが、ぼかし模様の領域やその色彩は自由であるから、琉球ガラスを用いて前記のような多様な表現型式を採用すると、琉球ガラス特有のぼかし模様と相まってさらに豊かな表現や観賞が可能となる。なお、膨らみ部２を有するグラスを例示したが、三角状その他の形状も可能であり、グラス形状は特に限定されない。
【００２９】
図２は、グラス外面に加飾した堆錦餅シートを裏側からすなわちグラス内面側から見た実施形態であるが、同一形態をガラスの表裏両側に表現することもできる。この場合は、堆錦技術で両面柄を形成する必要があり、図３のように例えば木の葉を表現する場合であれば、１枚の葉を表裏両側から見たような２枚の形態を形成し、後で貼り合わせると、１枚の葉を表裏両側から見ることができる。
【００３０】
すなわち、図３（１）のように、堆錦餅を薄く伸ばして２枚の葉６、７を隣接して形成する。次いで、グラス表面に生うるしで接着する際に、２枚の葉６、７を重ねて１枚の葉６７にする。このとき、葉として表現しない内側同士を矢印方向に重ねることは言うまでもない。その結果、葉の表側と裏側が見えるので、グラス表面に葉の表面を接着すると、葉の裏側がグラス裏側から見えることになる。したがって、一つの物体の表裏両側がガラス容器の表裏両側から観賞できる。
【００３１】
図４は、グラスの足や台を利用して、通常の漆塗りや堆錦加飾を施した実施形態である。グラスの足８や台９は、グラスの容器部と違って、全面を漆塗りしても問題は無いので、サンドブラスト処理も可能である。したがって、グラスの足８や台９の表面にサンドブラストや化学処理によって粗面化した状態で漆を塗布すると、漆の剥離が防止可能となる。台部分９は、表側（上側）に漆塗りしてもよいが、裏面（下側）に漆塗りして表面（上側）から、台９を透過して観賞することもできる。なお、粗面化処理した漆塗り面の上に、例えば花柄の堆錦餅シートを接着したりして堆錦加飾も併用できることは言うまでもない。
【産業上の利用可能性】
【００３２】
以上のように、グラスなどのような容器状の琉球ガラス製品において、容器部の外面に生うるしで堆錦餅シートを接着し加飾することで、多種多様な加飾と表現型式が可能となり、琉球ガラス製品を観賞する楽しみが増え、付加価値が高まる。その結果、琉球ガラス工芸産業と琉球漆工芸産業の活性化が期待できる。
【図面の簡単な説明】
【００３３】
【図１】考案による堆錦加飾ガラス製品を示す斜視図である。
【図２】図１の堆錦加飾部を反対側から見た斜視図である。
【図３】表裏両面を表現する堆錦の製法で、（１）は展開状態、（２）は重ねた状態である。
【図４】グラスの足や台に漆塗りや堆錦を施した実施形態の斜視図である。
【符号の説明】
【００３４】
１  グラスの容器部
２  容器部の膨らみ部
３  堆錦加飾部分
３ｂ  堆錦加飾部分の裏面
３ｃ  二重の容器壁を透過した堆錦加飾部裏面
４  グラスの開口
５  グラスの手前側の壁部
６・７  展開状態の２枚の葉
８  グラスの足
９  グラスの台
【図１】
0003119332.tif 000003
【図２】
0003119332.tif 000004
【図３】
0003119332.tif 000005
【図４】
0003119332.tif 000006